(57)【要約】【課題】キノコの栽培瓶に対する着脱の作業を、自動化する際を含めて適切且つ効率良く行うことができるキノコ栽培瓶用キャップを提供すること。【解決手段】キノコの栽培瓶による菌床栽培で菌床を培養する際に用いられ、樹脂成形によって製造されるキノコ栽培瓶用キャップ１０であって、円形の天板部１１と、天板部１１の外周から連続して円筒状に設けられた側周壁部１２と、側周壁部１２の嵌め口端部から連続して外方に張り出すように設けられたリング状の鍔部１３とを備え、鍔部１３が他の部分に比較して厚く形成されていると共に、側周壁部１２の嵌め口端部と鍔部１２によって形成されるリング状の嵌め口１４の内周縁が、外側へ向かって拡径するテーパー状に形成されているに設けられている。【選択図】図１
0003150937.tif 000002
【実用新案登録請求の範囲】
【請求項１】
キノコの栽培瓶による菌床栽培で菌床を培養する際に用いられ、樹脂成形によって製造されるキノコ栽培瓶用キャップであって、
円形の天板部と、該天板部の外周部から連続して円筒状に設けられた側周壁部と、該側周壁部の嵌め口端部から連続して外方に張り出すように設けられたリング状の鍔部とを備え、該鍔部が他の部分に比較して厚く形成されていると共に、前記側周壁部の嵌め口端部と前記鍔部によって形成されるリング状の嵌め口の内周縁が、外側へ向かって拡径するテーパー状に形成されていることを特徴とするキノコ栽培瓶用キャップ。
【請求項２】
前記天板部の内面の前記側周壁部との角部には、前記キノコ栽培瓶の瓶口に装着した際に該瓶口の端との間に通気のための隙間が生じるように周方向に断続して段状に天板部の段部が設けられ、
前記側周壁部の内面には、前記キノコ栽培瓶の瓶口に装着した際に該瓶口の側周壁部との間に通気のための隙間が生じるように周方向に断続して段状に側周壁部の段部が設けられていることを特徴とする請求項１記載のキノコ栽培瓶用キャップ。
【請求項３】
前記キノコ栽培瓶の瓶口に装着した際に該瓶口の側周壁部の縁部に拡径されて設けられている周段部に引っ掛かって抜け止めとなるように、前記側周壁部の内面に内側へ突起した状態に形成された抜け止め用突起部が設けられ、
前記天板部の段部、前記側周壁部の段部及び前記抜け止め用突起部が、キャップの深さ方向へ連続する形態に該キャップの内面に設けられていることを特徴とする請求項２記載のキノコ栽培瓶用キャップ。
【考案の詳細な説明】
【技術分野】
【０００１】
本考案は、キノコの栽培瓶による菌床栽培で菌床を培養する際に用いられ、樹脂成形によって製造されるキノコ栽培瓶用キャップに関する。
【背景技術】
【０００２】
キノコの栽培瓶による菌床栽培では、キノコの培地に種菌を接種した後、菌床を培養する際に、その栽培瓶の瓶口にキノコ栽培瓶用キャップ(以下、単に「キャップ」ともいう。）を装着する。このキャップは、雑菌の侵入を防止し、適度の空気の流通を許容してキノコ菌の生長を促進させ、そのキノコの菌糸が培地内に蔓延して好適な菌床を形成するために用いられる。
【０００３】
この種のキャップとしては、例えば、キャップ本体の容器本体の口部（瓶口）に接する部分に適宜通気孔を設け、その通気孔を覆うように空気や水蒸気を通しバクテリア、菌糸、カビ類やきのこ類の胞子などをほとんど通さないフィルターを設け、容器本体内の空気の出入りを、全てフィルターを通して行うように構成した菌糸培養容器用キャップが提案されている（特許文献１参照）。なお、キノコの種類、その栽培環境、或いは栽培瓶とキャップとの間で形成される空気通路の形態によっては、フィルターを装着しない場合でも、キャップの機能を十分に果たすことができる。
【０００４】
上記のような形態のキャップでは、その嵌め口が、単なる円筒形の側周壁部によって形成された筒状であって、案内となる部分がないため、瓶口への装着が精度を要するものとなっている。
また、嵌め口が単なる筒状であるため、変形し易く、さらに手掛かりがないため、着脱作業を行いにくい場合があった。これに対しては、図５のように嵌め口の部分に鍔部を設けて補強をすると共に手掛かりとすることができる。しかし、図５のように鍔部の肉厚が他のキャップの部分と同程度の場合、例えばキャップを並べて送る際に鍔同士が重なり易く、自動化を適切に行いにくい。
【先行技術文献】
【特許文献】
【０００５】
【特許文献１】特開平１０−８４７７３号公報（第１頁）
【考案の概要】
【考案が解決しようとする課題】
【０００６】
キノコ栽培瓶用キャップに関して解決しようとする問題点は、従来のキャップの形態では、瓶口への装着に精度を要するため自動化に対応させにくく、作業効率を向上させにくいことにある。
そこで本考案の目的は、キノコの栽培瓶に対する着脱の作業を、自動化する際を含めて適切且つ効率良く行うことができるキノコ栽培瓶用キャップを提供することにある。
【課題を解決するための手段】
【０００７】
本考案は、上記目的を達成するために次の構成を備える。
本考案にかかるキノコ栽培瓶用キャップの一形態によれば、キノコの栽培瓶による菌床栽培で菌床を培養する際に用いられ、樹脂成形によって製造されるキノコ栽培瓶用キャップであって、円形の天板部と、該天板部の外周部から連続して円筒状に設けられた側周壁部と、該側周壁部の嵌め口端部から連続して外方に張り出すように設けられたリング状の鍔部とを備え、該鍔部が他の部分に比較して厚く形成されていると共に、前記側周壁部の嵌め口端部と前記鍔部によって形成されるリング状の嵌め口の内周縁が、外側へ向かって拡径するテーパー状に形成されている。
【０００８】
また、本考案にかかるキノコ栽培瓶用キャップの一形態によれば、前記天板部の内面の前記側周壁部との角部には、前記キノコ栽培瓶の瓶口に装着した際に該瓶口の端との間に通気のための隙間が生じるように周方向に断続して段状に天板部の段部が設けられ、前記側周壁部の内面には、前記キノコ栽培瓶の瓶口に装着した際に該瓶口の側周壁部との間に通気のための隙間が生じるように周方向に断続して段状に側周壁部の段部が設けられていることを特徴とするができる。
【０００９】
また、本考案にかかるキノコ栽培瓶用キャップの一形態によれば、前記キノコ栽培瓶の瓶口に装着した際に該瓶口の側周壁部の縁部に拡径されて設けられている周段部に引っ掛かって抜け止めとなるように、前記側周壁部の内面に内側へ突起した状態に形成された抜け止め用突起部が設けられ、前記天板部の段部、前記側周壁部の段部及び前記抜け止め用突起部が、キャップの深さ方向へ連続する形態に該キャップの内面に設けられていることを特徴とすることができる。
【考案の効果】
【００１０】
本考案にかかるキノコ栽培瓶用キャップによれば、キノコの栽培瓶に対する着脱の作業を、自動化する際を含めて適切且つ効率良く行うことができるという特別有利な効果を奏する。
【図面の簡単な説明】
【００１１】
【図１】本考案に係るキノコ栽培瓶用キャップの形態例を示す側断面図である。
【図２】図１の形態例の底面図である。
【図３】図１の形態例が装着されるキノコの栽培瓶の側断面図である。
【図４】図１の形態例がキノコの栽培瓶に装着された状態を示す側断面図である。
【図５】鍔付きキノコ栽培瓶用キャップの比較例を示す側面図である。
【考案を実施するための形態】
【００１２】
以下、本考案にかかるキノコ栽培瓶用キャップについて最良の形態例を添付図面（図１〜４）に基づいて詳細に説明する。
このキノコ栽培瓶用キャップ１０は、キノコの栽培瓶２０による菌床栽培で菌床を培養する際に用いられ、樹脂成形によって製造されるものである。なお、図に示した本形態例のキノコ栽培瓶用キャップ１０及びキノコの栽培瓶２０は、エリンギに用いるものであるが、本考案が適用できるキノコの種類は限定されるものではない。えのき、ブナしめじなどの栽培瓶よる人工菌床栽培がなされるキノコの全般に亘って本考案を適用できるのは勿論である。
【００１３】
１１は天板部であり、円形に形成されている。この形状は、キノコの栽培瓶２０の瓶口２１の形状に対応するものである。キノコを瓶口２１の全面から均一に効率よく生長させるために円形になっている。
１２は側周壁部であり、天板部１１の外周部から連続して円筒状に設けられている。
【００１４】
１３は鍔部であり、側周壁部１２の嵌め口端部から連続して外方に張り出してリング状に設けられている。この鍔部１３は、他の部分（天板部１１や側周壁部１２）に比較して厚く形成されている。本形態例では、例として図１に明らかなように天板部の肉厚と比較して５倍程度厚く成形されている。これによれば、嵌め口１４の保形性を高め、その強度を高めることができる。したがって、キノコ栽培瓶用キャップ１０の瓶口２１に対する取り外し作業を含む装着性を向上できる。また、鍔部１３が肉厚に形成されているため、鍔１３同士が重なりにくく、並べて送る作業も適切になされる。
【００１５】
そして、側周壁部１２の嵌め口端部と鍔部１３によって形成されるリング状の嵌め口１４の内周縁が外側へ向かって拡径するテーパー状に形成されている。これによって、キャップ内部から外側へ向かって広がるように傾斜する斜面１５が設けられている。この斜面１５に瓶口の周縁がガイドされ、高い精度が要求されることなく、このキノコ栽培瓶用キャップ１０をきのこの栽培瓶２０の瓶口に嵌めることができる。このように装着性を向上できるため、自動化についても好適に対応できる。
【００１６】
１６は天板部の段部であり、天板部１１の内面の側周壁部１２との角部に、キノコ栽培瓶２０の瓶口２１に装着した際にその瓶口２１の端との間に通気のための隙間３０（図４参照）が生じるように周方向に断続して段状に設けられている。
【００１７】
１７は側周壁部の段部であり、側周壁部１２の内面に、キノコ栽培瓶２０の瓶口２１に装着した際にその瓶口２１の側周壁部１２との間に通気のための隙間が生じるように周方向に断続して段状に設けられている。
この天板部の段部１６と側周壁部の段部１７によれば、適切な通気路が形成されるため、キノコ菌糸が生長するために十分な空気を供給できると共に、雑菌の侵入を防止してキノコ菌床の培養を促進できる。
【００１８】
１８は抜け止め用突起部であり、キノコ栽培瓶２０の瓶口２１に装着した際にその瓶口２１の側周壁部１２の縁部に拡径されて設けられている周段部２３に引っ掛かって抜け止めとなるように、側周壁部１２の内面に内側へ突起した状態に形成されている。
【００１９】
そして、天板部の段部１６、側周壁部の段部１７及び抜け止め用突起部１８が、キャップ１０の深さ方向へ連続する形態にそのキャップ１０の内面に設けられている。このように形成されていることで、抜け止め用突起部１８が、キノコ栽培瓶２０へ流入する空気の流通の妨げに極力ならない形状になっている。このため、キノコの培地に空気を適切に供給でき、キノコ菌床の繁殖を促進できる。
【００２０】
また、本考案のキャップ１０が嵌るキノコの栽培瓶２０には、図３に示すように胴部の高さ方向の中途部に浅いリング溝状のくびれ部２５がある。
このくびれ部２５によれば、充填されたキノコ栽培用の培地の圧力で栽培瓶２０が太鼓状に膨らむことを防止できる。これにより、複数のキノコの栽培瓶２０をコンテナ内に好適に収容することができる。なお、このくびれ部２５の栽培瓶２０における位置関係は、培地が収納される部分の実質的な中央部に位置しており、栽培瓶２０の変形を効果的に抑制できる高さ位置になっている。
【００２１】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２２】
１０  キノコ栽培瓶用キャップ
１１  天板部
１２  側周壁部
１３  鍔部
１４  嵌め口
１５  斜面
１６  天板部の段部
１７  側周壁部の段部
１８  抜け止め用突起部
２０  キノコの栽培瓶
２１  瓶口
２２  瓶口の側周壁
２３  周段部
２５  くびれ部
３０  隙間
【図１】
0003150937.tif 000003
【図２】
0003150937.tif 000004
【図３】
0003150937.tif 000005
【図４】
0003150937.tif 000006
【図５】
0003150937.tif 000007